(57)【要約】【課題】給油の手間が省けると共に、コ−ドレスの暖房器を提供する。【解決手段】燃油の補給タンク１１を備え或いは接続すると共に、該補給タンク１１内の燃油を暖房器１本体内にセットされた状態の給油タンク１２に自動的に補給する補給手段１７と、暖房器１本体が装着された状態で該暖房器１本体内の充電器８と接続する接続端子１９を備えた暖房補助装置１０を設け、暖房器１はこの暖房補助装置１０に装着された状態で室内の暖房を行うようにしたものであるから、給油の心配をせずにある程度長時間の燃焼による暖房が行えるものであり、更に停電時や災害時には充電器からの電力を利用して、そのまま暖房が行われ、万一の時には極めて便利であり、使用勝手が良いものである。【選択図】　図１
2004076967.tif 000002
【特許請求の範囲】
【請求項１】
燃油の補給タンクを備え或いは接続すると共に、該補給タンク内の燃油を暖房器本体内にセットされた状態の給油タンクに自動的に補給する補給手段と、暖房器本体が装着された状態で該暖房器本体内の充電器と接続する接続端子を備えた暖房補助装置を設け、暖房器はこの暖房補助装置に装着された状態で室内の暖房を行う事を特徴とする暖房器及び暖房補助装置。
【請求項２】
上記暖房器は、暖房補助装置から取り外された時には、充電器を電源にしてコ−ドレスで暖房可能とした事を特徴とする請求項１記載の暖房器及び暖房補助装置。
【発明の詳細な説明】
【０００１】
【発明の属する技術分野】
この発明は燃油の自動補給及び充電を行う暖房補助装置と、該暖房補助装置に装着されて自動補給及び充電を受けるファンヒ−タ等の暖房器に関するものである。
【０００２】
【従来の技術】
従来よりこの種のものに於いては、例えば特開平８−１４５３３号公報に開示されている如く、補給タンク及びポンプユニットを有し給油タンクを装着することで、自動的に燃油の補給が行われるものであった。
【０００３】
【発明が解決しようとする課題】
ところでこの従来のものでは、給油時に手は汚れないが、給油タンクを器具本体内から取り出してから補給するので、煩わしいと共に手間がかかるものであった。
更にこの装置では補給のみで、充電器に充電させる接続端子も有していないものである。
【０００４】
【課題を解決するための手段】
この発明はこの点に着目し上記欠点を解決する為、特にその構成を、燃油の補給タンクを備え或いは接続すると共に、該補給タンク内の燃油を暖房器本体内にセットされた状態の給油タンクに自動的に補給する補給手段と、暖房器本体が装着された状態で該暖房器本体内の充電器と接続する接続端子を備えた暖房補助装置を設け、暖房器はこの暖房補助装置に装着された状態で室内の暖房を行うようにしたものである。
【０００５】
これにより、給油の心配をせずにある程度長時間の燃焼による暖房が行えるものであり、更に停電時や災害時には充電器からの電力を利用して、そのまま暖房が行われ、万一の時には極めて便利であり、使用勝手が良いものである。
【０００６】
又請求項２のように、暖房器を、暖房補助装置から取り外された時には、充電器を電源にしてコ−ドレスで暖房可能とすれば、他の部屋へ持ち運んで使用出来、しかもコンセントのない部屋での使用も可能であり、勿論電源のない野外での使用出来使用範囲が広がりるものである。
【０００７】
【発明の実施の形態】
次にこの発明に係る暖房器及び暖房補助装置を先ずは図１、２に示された一実施例で説明する。
１はファンヒ−タ等の暖房器で、気化式のバ−ナ２及び、該バ−ナ２に燃焼用の空気を供給する燃焼ファン３及び、燃焼後の燃焼熱を温風として放出する温風ファン４及び、油受け皿５上に立設された給油タンク６及び、該油受け皿５内の燃油をバ−ナ２に供給する電磁ポンプ７及び、電源となる充電器８及び、上記の各駆動部品を制御する制御部９等から構成されている。
【０００８】
１０は暖房補助装置で、内方には市販のポリタンク等から成る補給タンク１１が備えられ、又この補給タンク１１内の燃油を他に供給する為の電動の給油ポンプ１２と、送油管１３と空気管１４と信号線１５とを一体にして上下動自在にした接続装置１６とから成る補給手段１７を備えており、更に暖房器１を設置するベ−ス部１８には、暖房器１内の充電器８と接続して充電を行う接続端子１９が備えられている。
【０００９】
２０は前記接続装置１６の他端を構成するタ−ミナル部で、暖房器１内にセットされた給油タンク６の上部の密閉蓋２１を外した後に装着され、給油タンク６と補給タンク１１とを連通するもので、給油タンク６内には送油管１３と空気管１４の端部が突出し、補給タンク１１内には送油管１３と連通する汲み上げ管２２と空気管１４の他端が突出しており、又このタ−ミナル部２０の外周部には、該タ−ミナル部２０の給油タンク６への装着で接続されるコネクタ−２３が備えられ、制御部９及び給油タンク６内で燃油量の満量を検出するフロ−ト式の満量センサ２４及び、油受け皿５に備えられた燃油量の空量を検出する同じくフロ−ト式の空量センサ２５と接続する。
【００１０】
２６は暖房補助装置１０内に備えられた補給制御部で、前記したコネクタ−２３の他端が接続すると共に、給油ポンプ１２及び接続端子１９がそれぞれ接続し、燃油補給の制御及び暖房器１との連動運転制御及び充電の制御をそれぞれ行うものであり、コンセント２７に接続して電源を得ている。
【００１１】
次にこの一実施例の作動について説明する。
今暖房補助装置１０の接続装置１６を図１の点線で示すように上方に上げた状態とした後、ベ−ス部１８に暖房器１をセットすれば、充電器８が突出している接続端子１９と接続し、更に給油タンク６上部の密閉蓋２１を外し、ここに接続装置１６を降ろしてタ−ミナル部２０を装置すればセット完了と成り、充電器８はこの状態で充電を開始すると共に給油タンク６への燃油の補給も行われるものである。
【００１２】
そして、暖房器１の運転スイッチ（図示せず）をＯＮすれば、充電器８の電力で暖房器１の各駆動部が駆動し、充電器８は継続して充電を行っているもので、この充電状態は充電量と言うことで表示部（図示せず）にバ−表示されるものであり、一目で充電状態を知ることが出来るものである。
【００１３】
一方暖房器１では、バ−ナ２の予熱が完了し、電磁ポンプ７から供給される燃油と、燃焼ファン３からの燃焼空気の供給を受け燃焼され、この燃焼熱を温風ファン４の送風で温風として室内に放出して暖房を行うものであり、この暖房で給油タンク６内の燃油量が減少してくれば、これを油受け皿５に備えられた空量センサ２５が検出し、給油ポンプ１２を自動的に駆動させることで、補給タンク１１内の燃油を給油タンク６及び油受け皿５に補給し、満量になるとこれを満量センサ２４がこれを検出して給油ポンプ１２を自動的に停止させ、補給タンク１１内に燃油があるかぎりこれを繰り返し、長期間に渡り使用者が給油することなく継続して暖房が行われるものである。
【００１４】
又補給タンク１１内の燃油がなくなれば、該補給タンク１１を暖房補助装置１０から容易に取り出して補給すれば良く、内容量は給油タンク６の数杯分を有するものである。
【００１５】
次に暖房器１を別の部屋で使用する時には、暖房補助装置１０にセットした状態で移動させて使用することも出来るが、暖房器１のみを暖房補助装置１０から取り外して使用可能であり、この時給油タンク６及び充電器８は常に満量状態であり、密閉蓋２１を元に戻して持ち運ばれるものである。
【００１６】
そして、この暖房器１は充電器８に充電された電力を電源としているので、コ−ドレスでありコンセントのない部屋や野外でも使用可能で、上記と同じ燃焼で良好な暖房が場所を選ばず行われ、極めて使用勝手が良いものであり、又特に停電時や災害時には便利であり、その能力を最大限に発揮出来るものである。
【００１７】
更に給油タンク６の燃油がなくなったり、充電器８の電力がなくなったら、暖房補助装置１０に再びセットすれば、補給及び充電が開始され、十分になるまで待てば再び使用可能状態になるものであり、又別に充電器８と商用の交流電源であるコンセントとをつなぐ接続コ−ド２８等を用意すれば、暖房を継続しながら充電が出来、極めて使用勝手が良くなるものである。
【００１８】
次に図３に示す暖房補助装置の他の実施例を説明するが、前記した実施例と同一部分には同一符号を付し、相違部分のみを説明する。
２９は室外に設置された補給タンクで、地下タンク（図示せず）から自動的に燃油が供給されるもので、室内の壁３０に設けられたカプラ−部３１まで連絡管３２で連通し、このカプラ−部３１に給油ポンプ１２の汲み上げ管２２が接続されている。
【００１９】
これによって、給油タンク６への燃油の補給は、室外の補給タンク２９から行われるので、補給タンク２９に燃油を補給する手間がいらず、極めて便利で使用勝手が良いものであり、更に暖房補助装置１０自体もコンパクトとなって場所を取らないと言う効果を有するものである。
【００２０】
【発明の効果】
以上のようにこの発明によれば、給油の心配をせずにある程度長時間の燃焼による暖房が行えるものであり、更に停電時や災害時には充電器からの電力を利用して、そのまま暖房が行われ、万一の時には極めて便利であり、使用勝手が良いものである。
【００２１】
又請求項２によれば、暖房器を、暖房補助装置から取り外された時には、充電器を電源にしてコ−ドレスで暖房可能とすれば、他の部屋へ持ち運んで使用出来、しかもコンセントのない部屋での使用も可能であり、勿論電源のない野外での使用出来使用範囲が広がりるものである。
【図面の簡単な説明】
【図１】この発明の一実施例を示す暖房補助装置に暖房器をセットした状態の説明図。
【図２】同暖房器の説明図。
【図３】暖房補助装置の他の実施例を示す説明図。
【符号の説明】
１　暖房器
８　充電器
１０　暖房補助装置
１１　補給タンク
１２　給油ポンプ
１３　送油管
１４　空気管
１５　信号線
１６　接続装置
１７　補給手段
１９　接続端子
【図１】
2004076967.tif 000003
【図２】
2004076967.tif 000004
【図３】
2004076967.tif 000005